(57)【要約】      （修正有）【課題】沈殿と浮上と加熱による廃水処理装置を提供する。【解決手段】廃水処理槽１０と、沈殿装置２と、浮上装置３と、加熱装置２１とを備える。加熱装置は、廃水処理槽の上方部又は下方部に設けられ、蒸気入口２１１と蒸気出口２１２を有する。【選択図】図４
0003175905.tif 000002
【実用新案登録請求の範囲】
【請求項１】
廃水汚泥を処理する廃水処理槽と、廃水汚泥の沈殿処理を行う沈殿装置と、廃水汚泥の浮上処理を行う浮上装置と、廃水及び汚泥の加熱処理を行う加熱装置とを備える沈殿浮上加熱による廃水処理装置であって、
沈殿装置を利用して廃水汚泥の沈殿処理を行い、さらに浮上装置を利用して廃水汚泥の浮上処理を行うか、または浮上装置を利用して廃水汚泥の浮上処理を行い、さらに沈殿装置を利用して廃水汚泥の沈殿処理を行うかを特徴とする沈殿浮上加熱による廃水処理装置。
【請求項２】
前記加熱装置は廃水処理槽の上方部または下方部に設けることを特徴とする請求項１記載の沈殿浮上加熱による廃水処理装置。
【請求項３】
前記加熱装置は蒸気入口と蒸気出口を有することを特徴とする請求項１記載の沈殿浮上加熱による廃水処理装置。
【請求項４】
前記加熱装置は廃水処理槽の下方部または上方部をパイプラインで内壁の外表面上を取り囲むように設けることを特徴とする請求項1記載の沈殿浮上加熱による廃水処理装置。
【考案の詳細な説明】
【技術分野】
【０００１】
本考案は、沈殿浮上加熱による廃水処理装置に関し、特に沈殿と浮上と加熱による廃水処理装置に関する。
【背景技術】
【０００２】
一般的に廃水処理は、その物理特性の違いによって、異なる処理方式を選択することにより、廃水中に含有される固体汚泥を除去する。廃水中の汚泥が少ない場合は、加圧浮上法を採用することが可能であり、例えば、加圧浮上廃水処理槽を採用する。さらに、廃水中の汚泥が多い場合は、沈殿法を採用することが可能であり、例えば、沈殿廃水処理槽を採用する。加圧浮上法または沈殿法は、共に広く利用される廃水処理技術である。
【０００３】
現実には、廃水処理工程において油脂、有機溶剤、特性ライク液体が廃水に含有する場合が多い。特に、廃水処理工程において、廃水汚泥の特性の変化により、凝集粒子量によって、単に、加圧浮上法または沈殿法のいずれかを採用すれば、廃水中に含有される固体汚泥を完全に除去できず、大量の固体物が加圧浮上槽または沈殿槽からあふれ出てくることがある。したがって、従来の加圧浮上法または沈殿法のよる廃水処理は、大量の残留固体物から影響を受ける。
【０００４】
簡単に言えば、従来の加圧浮上法または沈殿法のいずれかの廃水処理技術においては、処理水に大量の固体物が残留するという技術的問題を解消できない。しかし、実際には、従来の加圧浮上法または沈殿法は、適切な技術的改良が可能であり、処理水が大量の残留固体物から影響を受けることを避けることができる。
特許文献1に記載された「廃水処理装置」、特許文献2に記載された「沈殿浮上による廃水処理装置」、及び、特許文献1に記載された「Combined Sedimentation and Pressure Floatation Wastewater Treatment Tank」には、沈殿浮上による処理装置が記載されているが、その廃水処理の技術を一層に改良する必要性がある。
【先行技術文献】
【特許文献】
【０００５】
【特許文献１】台湾特許第Ｍ382316号
【特許文献２】台湾特許第201118043号
【特許文献３】米国特許第20110120927号
【考案の概要】
【考案が解決しようとする課題】
【０００６】
本考案は、沈殿装置、浮上装置及び加熱装置を廃水処理槽に設けることで、廃水汚泥の沈殿浮上加熱機能を得ることができる、沈殿浮上加熱による廃水処理装置に関するものである。
【課題を解決するための手段】
【０００７】
上記の目的を達成するため、本考案の沈殿浮上加熱による廃水処理装置は、廃水汚泥を処理する廃水処理槽と、廃水汚泥の沈殿処理を行う沈殿装置と、廃水汚泥の浮上処理を行う浮上装置と、廃水及び汚泥の加熱処理を行う加熱装置と、を備える沈殿浮上加熱による廃水処理装置であって、沈殿装置を利用して廃水汚泥の沈殿処理を行い、さらに浮上装置を利用して廃水汚泥の浮上処理を行うか、または浮上装置を利用して廃水汚泥の浮上処理を行い、さらに沈殿装置を利用して廃水汚泥の沈殿処理を行うかを特徴とする沈殿浮上加熱による廃水処理装置である。
【０００８】
沈殿浮上加熱による廃水処理装置において、前記加熱装置は廃水処理槽の上方部または下方部に設ける。
【０００９】
沈殿浮上加熱による廃水処理装置において、前記加熱装置は蒸気入口と蒸気出口を有する。
【００１０】
沈殿浮上加熱による廃水処理装置において、前記加熱装置は廃水処理槽の下方部または上方部をパイプラインで内壁の外表面上に取り囲むように設ける。
【図面の簡単な説明】
【００１１】
【図１】第1の実施例の沈殿浮上加熱による廃水処理装置の側面図である。
【図２】第1の実施例の沈殿浮上加熱による廃水処理装置が採用する沈殿装置の斜視図である。
【図３】第2の実施例の沈殿浮上加熱による廃水処理装置の側面図である。
【図４】第3の実施例の沈殿浮上加熱による廃水処理装置の側面図である。
【図５】第3の実施例の沈殿浮上加熱による廃水処理装置の他の側面図である。
【図６】第3の実施例の沈殿浮上加熱による廃水処理装置の上面図である。
【考案を実施するための最良の形態】
【００１２】
本考案の実施例の沈殿浮上加熱による廃水処理装置は、色々な廃水処理システムに適用することができ、他の組み合わせにより、廃水沈殿処理槽のみ、または、廃水加圧浮上処理槽のみに応用してもよい。
図1に示すように、第1の実施例の沈殿浮上加熱による廃水処理装置1は、廃水処理槽10、沈殿装置2、加熱装置（heater）21及び浮上装置（または加圧浮上装置）3を有し、装置1は、沈殿、加圧、浮上及び加熱処理の多重機能を有する。
【００１３】
前記廃水処理槽10は、廃水入口（図示せず）と、処理水出口と、汚泥排出口（図示せず）とが少なくとも１個設けられる一の処理槽である。未処理の廃水は、廃水入口を経由して送入すること（矢印ａ）ができ、廃水処理槽10内に廃水が適切に循環して流れ、同時に沈殿装置2、加熱装置21及び浮上装置3を利用して適切に処理を行った後に、処理した廃水を処理水出口を経由して排出する。また、廃水処理により発生した汚泥は、加熱した後に汚泥排出口から排出する。
【００１４】
沈殿装置2及び加熱装置21は、廃水処理槽10の下方にある。前記沈殿装置2は、廃水中に含有した比較重い汚泥を沈殿させ、さらに沈殿の際に、加熱装置21が沈殿物を所定温度に加熱する。前記沈殿装置2には、所定傾斜角の有する複数の傾斜板201があり、廃水を傾斜板201に沿って上へ流すことができる（矢印ｂ）。この時、廃水中の比較重い汚泥は斜板201上に沈殿し、傾斜板201に沿って下へ流れ、廃水汚泥の沈殿作用を達成する。
さらに、前記沈殿装置2には、廃水の沈殿した汚泥をかき寄せる第1の汚泥かき寄せ機202を設ける。また、前記加熱装置21は、廃水処理槽10の底部に設けて、廃水及び沈殿した汚泥に対応する。このように、加熱装置21は廃水及び沈殿した汚泥を加熱して、廃水及び油脂を含有した汚泥を適切な温度で維持し、汚泥排出口からの汚泥排出に有効である。
廃水は、沈殿装置2を経由することで、比較重い汚泥の沈殿及び加熱処理を行うが、廃水中の比較軽い汚泥、不純物、油脂については、廃水を沈殿装置2を経由して浮上装置3に輸送することで（矢印ｂ）処理する。
【００１５】
図1及び図2に示すように、浮上装置3が廃水処理槽10の上にあるのは、廃水中の比較軽い汚泥、不純物、油脂を加圧浮上するためであり、廃水中の比較軽い汚泥、不純物、油脂は浮上装置3の上に浮き上がる。前記浮上装置3は、エア加圧装置30と、第1の加圧水出口301と、第2の加圧水出口302とを有し、第1の加圧水出口301及び第2の加圧水出口302が浮上装置3の下にある。前記エア加圧装置30は、空気が液体になるまで加圧し、かつ、加圧水を第1の加圧水出口301及び第2の加圧水出口302から廃水に加え（矢印ｄ）、加圧水により廃水中の比較軽い汚泥、不純物、油脂を浮上装置3の上へ送る。そして、処理された廃水を浮上装置3から輸送して排出する（矢印ｃ）。さらに、前記浮上装置3には、その上にある第2の汚泥かき寄せ機31を設ける。第2の汚泥かき寄せ機31は廃水から浮上した汚泥をかき寄せるためのものである。廃水から浮上した汚泥は、汚泥排出口を経由して適切な排出が行われる。さらに、浮上装置3には、その片側に連続されるサイド沈殿装置32を設ける。処理した廃水を浮上装置3からサイド沈殿装置32に輸送する（矢印ｃ）。そして、処理した廃水を浮上装置3から輸送して外部に排出する。
【００１６】
前記サイド沈殿装置32は、傾斜板321と、廃水入口322と、処理水出口323の複数から成る。前記サイド沈殿装置32は廃水中に残留する比較重い汚泥を沈殿させるためのものであり、廃水を廃水入口322からサイド沈殿装置32内に送入する（曲がる矢印）。この時、廃水は傾斜板321に沿って上へ流れ、廃水中に残留する比較重い汚泥が下へ沈殿し、または傾斜板321に沿って下へ流れ、廃水汚泥が沈殿する作用を達成する。そして、処理した廃水は処理水出口323へ輸送し（下上向き矢印）、汚泥を再び沈殿させて汚泥排出口324に流し（下向き矢印）、外部に適切に排出する。
【００１７】
図1及び図2に示すように、処理した廃水をサイド沈殿装置32から輸送して外部に排出する（図1の一連矢印ｃ）。サイド沈殿装置32の廃水を再び沈殿させ、汚泥排出口を経由して適切に排出を行う。
沈殿浮上加熱による廃水処理装置1は、沈殿装置2を利用して廃水汚泥の沈殿加熱処理を先に行い、再び浮上装置3を利用して廃水汚泥の加圧浮上処理を行うため多重機能を有する。
【００１８】
図3に示すように、第1と第2の実施例の沈殿浮上加熱による廃水処理装置1は、完全に同じ部材を採用できる。第2の実施例の沈殿浮上加熱による廃水処理装置1は、逆の廃水処理工程を採用する。まず、廃水をサイド沈殿装置32に輸送し、廃水に最初に沈殿処理を行う（矢印ｃ’）。そして、廃水をサイド沈殿装置32から浮上装置3に輸送して（矢印ｃ’）、加圧水（矢印ｄ）で廃水の加圧浮上処理を行う。そして、廃水を浮上装置3から沈殿装置2に輸送して（矢印ｂ’）、廃水の沈殿処理を行う。最後に、処理した廃水を沈殿装置2から外部に適切に排出する（矢印ａ’）。前記沈殿浮上加熱による廃水処理装置1は、浮上装置3を利用して廃水汚泥の加圧浮上処理を先に行い、沈殿装置2を利用して廃水汚泥の沈殿処理を行うため多重機能を有する。
【００１９】
図4、図5及び図6に示すように、第1と第3の実施例の沈殿浮上加熱による廃水処理装置1は、完全に同じ部材を採用できる。第3の実施例の沈殿浮上加熱による廃水処理装置1は、廃水処理槽10と、沈殿装置2と、加熱装置21と、浮上装置3とを有する。前記加熱装置21はそれぞれ、異なる位置、例えば廃水処理槽10の上方部及び下方部に配置する。前記加熱装置21は、廃水処理槽10の下方部及び上方部をパイプラインで内壁の外表面上を取り囲むように設ける。加熱装置21は、蒸気入口（steam inlet）211と蒸気出口（steam outlet）212を有し、加熱装置21の内部に連通する。加熱作業を行う時、高温蒸気が蒸気入口211から加熱装置21内に入り込むことにより、廃水処理槽10の底部にある廃水及び沈殿汚泥を加熱し、かつ蒸気出口212から蒸気を排出する。
【符号の説明】
【００２０】
1  廃水処理装置
10  廃水処理槽
2  沈殿装置
20  沈殿ユニット
201  傾斜板
202  第1の汚泥かき寄せ機
21  加熱装置
211  蒸気入口
212  蒸気出口
3  浮上装置
30  エア加圧装置
301  第1の加圧水出口
302  第2の加圧水出口
31  第2の汚泥かき寄せ機
32  サイド沈殿装置
321  傾斜板
322  廃水入口
323  処理水出口
324  汚泥排出口
【図１】
0003175905.tif 000003
【図２】
0003175905.tif 000004
【図３】
0003175905.tif 000005
【図４】
0003175905.tif 000006
【図５】
0003175905.tif 000007
【図６】
0003175905.tif 000008